(57)【要約】【課題】画像歪みの補正機能を備えた投写型映像表示装置において、画像歪み補正を行なう際の操作性を向上する。【解決手段】プロジェクタ１０は、入力された映像信号を変換して投写すべき映像を表す表示映像信号を生成する映像信号処理回路６４と、ユーザの操作による投写映像上の補正点の変更に応じて、表示映像信号を補正する画像歪み補正部６８と、ユーザの操作に応じて画像歪み補正処理が選択された場合に、ユーザによる補正点の指定に用いる補正用パターンを、投写映像に重畳させて同一画面上に表示するためのＯＳＤ回路７２とを備える。ＯＳＤ回路７２は、画像歪み補正処理の実行時において、補正用パターンの表示色を切替えるための切替制御手段を含む。【選択図】図２
2011066738.tif 000002
【特許請求の範囲】
【請求項１】
入力された映像信号を変換して投写すべき映像を表す表示映像信号を生成する映像信号処理部と、
ユーザの操作による投写映像上の補正点の変更に応じて、前記表示映像信号を補正する画像歪み補正部と、
ユーザの操作に応じて画像歪み補正処理が選択された場合に、ユーザによる補正点の指定に用いる補正用パターンを、投写映像に重畳させて同一画面上に表示するための歪み補正画面生成部とを備え、
前記歪み補正画面生成部は、前記画像歪み補正処理の実行時において、前記補正用パターンの表示色を切替えるための切替制御手段を含む、投写型映像表示装置。
【請求項２】
前記切替制御手段は、ユーザの操作により指定された表示色で前記補正用パターンを表示させる、請求項１に記載の投写型映像表示装置。
【請求項３】
前記切替制御手段は、前記補正用パターンの表示色を、一定時間ごとに予め設定された複数の色の間でトグル状に切替える、請求項１に記載の投写型映像表示装置。
【請求項４】
前記切替制御手段は、前記補正用パターンのトグル表示の実行時において、ユーザの操作に応じて投写映像上の補正点の変更が開始されたときには、前記補正用パターンの表示色を、補正点の変更が開始された時点での表示色に固定する、請求項３に記載の投写型映像表示装置。
【請求項５】
前記切替制御手段は、前記表示映像信号の色相、彩度または明度の少なくとも一つに応じて、前記補正用パターンの表示色を切替える、請求項１に記載の投写型映像表示装置。
【請求項６】
前記切替制御手段は、前記表示映像信号の色相に対する補色を、前記補正用パターンの表示色として選択する、請求項５に記載の投写型映像表示装置。
【発明の詳細な説明】
【技術分野】
【０００１】
この発明は、投写型映像表示装置に関し、より特定的には、投写面に表示される画像の歪みを補正する機能を有する投写型映像表示装置に関する。
【背景技術】
【０００２】
投写型映像表示装置（以下、プロジェクタとも称する。）においては、プロジェクタからの投写光の光軸とスクリーン等の投写面との相対的な傾きによって、投写面上に投写される画像が水平方向および垂直方向の少なくとも一方向に歪む、いわゆる画像歪みが発生する場合がある。
【０００３】
通常、プロジェクタには、このような画像歪みを補正するための補正機能が設けられている。たとえば、特開２００８−７９０１６号公報（特許文献１）には、投写映像の台形歪みを所定方向に補正する操作を行なう第１の台形補正キーと、第１の台形キーと逆方向に投写映像の台形歪みを補正する操作を行なう第２の台形補正キーとを有しており、ユーザによるキー操作に基づいて画像歪みを補正する構成が開示されている。
【先行技術文献】
【特許文献】
【０００４】
【特許文献１】特開２００８−７９０１６号公報
【特許文献２】特開２００７−２７１６５３号公報
【発明の概要】
【発明が解決しようとする課題】
【０００５】
上記の特許文献１に開示されるプロジェクタでは、キー操作により画像歪みの補正を行なう際に、映像信号が不鮮明である場合には、スクリーン上に表示された投写映像の歪み具合をユーザが視認することが困難となるために、画像歪み補正の操作性が悪いという問題が生じていた。
【０００６】
それゆえ、この発明は、かかる課題を解決するためになされたものであり、その目的は、画像歪みの補正機能を備えた投写型映像表示装置において、画像歪み補正を行なう際の操作性を向上することである。
【課題を解決するための手段】
【０００７】
この発明のある局面に従う投写型映像制御装置は、入力された映像信号を変換して投写すべき映像を表す表示映像信号を生成する映像信号処理部と、ユーザの操作による投写映像上の補正点の変更に応じて、表示映像信号を補正する画像歪み補正部と、ユーザの操作に応じて画像歪み補正処理が選択された場合に、ユーザによる補正点の指定に用いる補正用パターンを、投写映像に重畳させて同一画面上に表示するための歪み補正画面生成部とを備える。歪み補正画面生成部は、画像歪み補正処理の実行時において、補正用パターンの表示色を切替えるための切替制御手段を含む。
【０００８】
好ましくは、切替制御手段は、ユーザの操作により指定された表示色で補正用パターンを表示させる。
【０００９】
好ましくは、切替制御手段は、補正用パターンの表示色を、一定時間ごとに予め設定された複数の色の間でトグル状に切替える。
【００１０】
好ましくは、切替制御手段は、補正用パターンのトグル表示の実行時において、ユーザの操作に応じて投写映像上の補正点の変更が開始されたときには、補正用パターンの表示色を、補正点の変更が開始された時点での表示色に固定する。
【００１１】
好ましくは、切替制御手段は、表示映像信号の色相、彩度または明度の少なくとも一つに応じて、補正用パターンの表示色を切替える。
【００１２】
好ましくは、切替制御手段は、表示映像信号の色相に対する補色を、補正用パターンの表示色として選択する。
【発明の効果】
【００１３】
この発明によれば、画像歪みの補正機能を備えた投写型映像表示装置において、投写映像に重畳させて同一画面上に表示させる補正用パターンの表示色を切替え可能に構成したことにより、補正用パターンに基づいて投写映像の歪み具合を視認することが容易となる。その結果、画像歪みを補正する際の操作性が向上する。
【図面の簡単な説明】
【００１４】
【図１】この発明の実施の形態１に係る投写型映像表示装置の概略構成図である。
【図２】図１におけるプロジェクタの構成を示す図である。
【図３】図１におけるリモコンを説明する図である。
【図４】画像歪み補正映像を説明する図である。
【図５】本実施の形態１に従う画像歪み補正処理を説明する図である。
【図６】本実施の形態１における表示色の切替制御処理を説明するフローチャートである。
【図７】ユーザによる補正用パターンの色指定を説明する図である。
【図８】本実施の形態２における補正用パターンの表示色の切替制御処理を説明する図である。
【図９】本実施の形態２における表示色の切替制御処理を説明するフローチャートである。
【図１０】本実施の形態２の変更例における表示色の切替制御処理を説明するフローチャートである。
【図１１】本実施の形態３における表示色の切替制御処理を説明するフローチャートである。
【発明を実施するための形態】
【００１５】
以下、本発明の実施の形態について、図面を参照しながら詳細に説明する。なお、図中の同一または相当する部分には同一符号を付してその説明は繰返さない。
【００１６】
［実施の形態１］
図１は、この発明の実施の形態１に係る投写型映像表示装置の概略構成図である。
【００１７】
図１を参照して、本実施の形態１に係る投写型映像表示装置（以下、「プロジェクタ」とも記す。）１０は、液晶デバイスを利用して映像を投影する液晶プロジェクタであって、スクリーン３０に液晶デバイスにより表示される映像の光を投写することにより、投写映像４０を表示する。投写面は、スクリーン３０に限定されず、壁面であってもよい。
【００１８】
プロジェクタ１０は、ユーザが操作するリモコン（リモートコントローラの略）５０から送信される赤外線変調されたリモコン信号を受信するリモコン受信部２０と、入力部６０とを備える。リモコン信号には、プロジェクタ１０を遠隔制御するためのコマンド信号が含まれる。入力部６０は、外部の信号供給装置（図示せず）から供給される映像信号を受け付けるための入力ポートを含む。信号供給装置には、ＤＶＤ（Digital Versatile Disc）再生装置、Ｂｌｕｅ−Ｒａｙディスク再生装置などのデジタル信号を出力するデジタル信号供給装置と、コンピュータなどのアナログ信号を出力するアナログ信号供給装置とが含まれる。
【００１９】
図２は、図１におけるプロジェクタ１０の構成を示す図である。
図２を参照して、プロジェクタ１０は、レシーバ部６２と、映像信号処理回路６４と、合成部６６と、画像歪み補正部６８と、マイコン（マイクロコンピュータ）７０と、ＯＳＤ（On Screen Display）回路７２と、ＤＡＣ（Digital Analog Converter）７４と、液晶表示駆動部７６と、光学系７８と、電源ユニット８０と、コネクタ８４と、ランプ８６とを備える。
【００２０】
マイコン７０は、リモコン５０からリモコン受信部２０を介して入力したコマンド信号に基づいて、制御指令を生成してプロジェクタ１０の各部へ出力する。
【００２１】
レシーバ部６２は、入力部６０から与えられる映像信号を受信して出力する。レシーバ部６２は、受信したデジタル映像信号をアナログ信号に変換するＡＤＣ（Analog Digital Converter）機能と、ＨＤＣＰ（High-Bandwidth Digital Content Protection System）に従う認証機能および暗号の復号機能とを有する。なお、ＨＤＣＰとは、ＨＤＭＩ（High Definition Multimedia Interface）に従って伝送されるデータの暗号化を実現するために用いられる。これにより、デジタル伝送路上を伝送される映像信号などのコンテンツが不正にコピーされるのを防止できる。ここでは、デジタル伝送路は、ＨＤＭＩに従ってデータ・信号を伝送する経路であるとしているが、ＤＶＩ（Digital Visual Interface）に従って伝送経路であってもよい。
【００２２】
映像信号処理回路６４は、レシーバ部６２から出力された映像信号を表示のための信号に処理して出力する。具体的には、映像信号処理回路６４は、レシーバ部６２からの映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力された映像信号を変換して投写映像用の映像信号である映像データを生成する。
【００２３】
ＯＳＤ回路７２は、マイコン７０からの命令に従って、プロジェクタ１０の各種状態を表す文字や記号、画像歪み補正、画質調整、動作条件設定等を行なう際のメニュー映像や、ポインタ映像やアンダーライン映像などの装飾映像など（以下、これらの画像を「ＯＳＤ映像」とも称す。）をＯＳＤ映像信号として生成し、合成部６６へ出力する。
【００２４】
合成部６６は、ＯＳＤ映像信号を、映像信号処理回路６４から出力された映像信号に合成し、合成映像信号として映像データを生成し、画像歪み補正部６８に供給する。
【００２５】
ここで、ＯＳＤ映像信号は、ユーザがリモコン５０からＯＳＤ映像の表示を指示することにより、ＯＳＤ回路７２がＯＳＤ回路７２内の図示しないメモリに記憶されているＯＳＤデータを読み出すことにより生成される。なお、ＯＳＤ映像を表示しない場合には、合成部６６は上記の合成処理を行なわず、映像信号処理回路６４から出力された映像データが、そのまま画像歪み補正部６８に供給される。
【００２６】
画像歪み補正部６８は、プロジェクタ１０からの投写光の光軸とスクリーン３０の投写面との相対的な傾きによって生じる画像歪みを補正するように、合成部６６から出力された合成映像信号を調整して歪み補正映像を表す映像信号を生成し、生成した映像信号をＤＡＣ７４へ出力する。
【００２７】
具体的には、画像歪み補正部６８は、スクリーン３０上に表示されている投写映像の四隅の位置の、ユーザ操作に応じた変位量に基づき、各液晶パネルに歪んだ画像を形成することにより、投写映像の歪みを補正する。以降、実施例では、このような補正を「コーナー歪み補正」と称する。コーナー歪み補正の詳細については後述する。
【００２８】
ＤＡＣ７４は、画像歪み補正部６８から出力された映像信号を入力し、アナログ信号に変換して液晶表示駆動部７６へ出力する。
【００２９】
液晶表示駆動部７６、光学系７８およびランプ８６は、ＤＡＣ７４から出力される映像信号に従って、マイコン７０の制御の下に、スクリーン３０に映像を投影するための投影部に相当する。
【００３０】
投影部の動作について説明する。照明装置であるランプ８６は、たとえば超高圧水銀ランプ、メタルハライドランプ、キセノンランプなどからなる。ランプ８６は、コネクタ８４を介してプロジェクタ１０に着脱自在に取り付けられる。ランプ８６からは、略平行光となって光が液晶表示駆動部７６に出射される。
【００３１】
液晶表示駆動部７６は、図示しないレンズおよびプリズムを含む光学系と、Ｒ，Ｇ，Ｂの各液晶パネルとを含む。液晶表示駆動部７６では、内部の図示しないレンズ系を通過したランプ８６からの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ７４から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーン３０上に拡大投写される。投写レンズは、投写光をスクリーン３０に結像させるためのレンズ群と、これらレンズ群の一部を光軸方向に変化させて投写映像のズーム状態およびフォーカス状態を調整するためのアクチュエータを備えている。
【００３２】
電源ユニット８０は、図示しないＡＣ（Alternating Current）電源のコンセントに差し込まれるプラグ８２を経由して電源が供給されて、供給された電源をプロジェクタ１０内の各部に供給する。
【００３３】
ユーザは、リモコン５０を用いて、種々の入力を行なうことができる。リモコン５０から送信されたリモコン信号は、リモコン受信部２０を介してマイコン７０に入力されて対応する種々の処理が実行される。
【００３４】
図３は、リモコン５０を説明する図である。図３を参照して、リモコン５０は、調整釦５２Ｕ，５２Ｄ，５２Ｌ，５２Ｒと、確定（Ｅｎｔｅｒ）釦５４と、Ｋｅｙｓｔｏｎｅ（キーストーン）リモコン釦５６とを備えている。調整釦は、上調整釦５２Ｕと、下調整釦５２Ｄと、左調整釦５２Ｌと、右調整釦５２Ｒとが十字に配置されている。なお、以下の説明では、上下左右の４つの調整釦を総称して、調整釦５２とも記す。
【００３５】
調整釦５２は、コーナー歪み補正処理の実行時には、右調整釦５２Ｒおよび下調整釦５２Ｄに対応する左上隅操作信号と、左調整釦５２Ｌおよび下調整釦５２Ｄに対応する右上隅操作信号と、右調整釦５２Ｒおよび上調整釦５２Ｕに対応する左下隅操作信号と、左調整釦５２Ｌおよび上調整釦５２Ｕに対応する右下隅操作信号とを出力する。左上隅操作信号は、スクリーン上の左上隅の変位量と関連付けられている。右上隅操作信号は、スクリーン上の右上隅の変位量と関連付けられている。左下隅操作信号は、スクリーン上の左下隅の変位量と関連付けられている。右下隅操作信号は、スクリーン上の右下隅の変位量と関連付けられている。
【００３６】
したがって、コーナー歪み補正処理の実行時には、ユーザは、調整釦５２を操作することにより、スクリーン３０に表示されている映像の四隅の変位量を設定する。画像歪み補正部６８は、設定された四隅の変位量に従って、画像歪みを補正することができる。以下では、画像歪み補正の処理手順について説明する。
【００３７】
（画像歪み補正処理）
最初に、ユーザがリモコン５０のＫｅｙｓｔｏｎｅリモコン釦５６を押下すると、画像歪み補正処理が選択されて開始される。画像歪み補正処理が選択されて開始されると、ＯＳＤ回路７２（図２）によって投写映像４０と同一画面上に、画像歪み補正映像が表示される。
【００３８】
図４は、画像歪み補正映像を説明する図である。図４を参照して、ユーザがリモコン５０のＫｅｙｓｔｏｎｅリモコン釦５６を押下すると、ＯＳＤ回路７２によって画像歪み補正映像が表示される。画像歪み補正映像は、コーナー歪み補正映像Ｇ１と、ユーザによる補正点の指定に用いる補正用パターンＰＴ１，ＰＴ２，ＰＴＣ１〜ＰＴＣ４とからなる。
【００３９】
コーナー歪み補正映像Ｇ１には、操作メニューの種別（画像歪み補正メニュー）と、調整釦５２（図３）の操作状態を示すインジケータとが表示されている。
【００４０】
図中の補正点Ａ，Ｂ，Ｃ，Ｄは、スクリーン３０に表示されている映像の四隅を表している。コーナー歪み補正では、調整釦５２から出力される操作信号（左上隅操作信号、右上隅操作信号、左下隅操作信号、右下隅操作信号）に応じて、補正点Ａ，Ｂ，Ｃ，Ｄの位置を補正することによりスクリーン３０上に表示される映像の歪みを補正する。
【００４１】
図４の例では、右調整釦５２Ｒと下調整釦５２Ｄとが補正点Ｂ（左上隅）の変位に対応している。ユーザが右調整釦５２Ｒおよび下調整釦５２Ｄを押下することにより、補正点Ｂを変位させる場合には、コーナー歪み補正映像Ｇ１には、右調整釦５２Ｒおよび下調整釦５２Ｄの操作状態を示すインジケータが表示される。
【００４２】
そして、このような状態で、ユーザが右調整釦５２Ｒおよび下調整釦５２Ｄを押下すると、図５に示すように、コーナー歪み補正映像Ｇ１では、右調整釦５２Ｒおよび下調整釦５２Ｄに対応するインジケータが点灯（表示色が変更）する。また、投写映像４０と同一画面上には、補正点Ｂが変位の対象であることを示すマーカーＭ１が表示される。
【００４３】
図５の例では、右調整釦５２Ｒおよび下調整釦５２Ｄの押下回数と補正点Ｂの変位量とは連動している。画像歪み補正部６８は、補正点Ｂの変位量に応じて映像信号を調整して、映像信号に基づいた映像（実映像）を形成するための映像形成領域を、各液晶パネルの画素領域内に定める。
【００４４】
すなわち、画像歪み補正部６８は、補正点Ｂを、図中の矢印の方向に、右調整釦５２Ｒおよび下調整釦５２Ｄの押下回数に応じた変位量分変位させる。補正点Ｂは、補正点Ｂ１まで変位される。これにより、各液晶パネルの実映像の補正点Ｂ１に対応するスクリーン３０上の補正点は、右調整釦５２Ｒおよび下調整釦５２Ｄの押下回数に応じた変位量分変位される。このように、画像歪みが補正されて実映像が正規の形状でスクリーン３０に投写されるように、実映像を形成するための映像形成領域の補正点を変位させるとともに、映像の形成に寄与しない領域に含まれる各画素の光透過率が最小となるように、映像データを補正する。この結果、実映像が正規の形状でスクリーン３０上に表示される。
【００４５】
一方、図示は省略するが、左調整釦５２Ｌおよび下調整釦５２Ｄを押下することにより、コーナー歪み補正映像Ｇ１では、左調整釦５２Ｌおよび下調整釦５２Ｄに対応するインジケータが点灯するとともに、補正点Ｃが左調整釦５２Ｌおよび下調整釦５２Ｄの押下回数に応じた変位量分変位される。
【００４６】
また、左調整釦５２Ｌおよび上調整釦５２Ｕを押下することにより、コーナー歪み補正映像Ｇ１では、左調整釦５２Ｌおよび上調整釦５２Ｕに対応するインジケータが点灯するとともに、補正点Ｄが左調整釦５２Ｌおよび上調整釦５２Ｕの押下回数に応じた変位量分変位される。
【００４７】
さらに、右調整釦５２Ｒおよび上調整釦５２Ｕを押下することにより、画像歪み補正映像Ｇ２では、右調整釦５２Ｒおよび上調整釦５２Ｕに対応するインジケータが点灯するとともに、補正点Ａが右調整釦５２Ｒおよび上調整釦５２Ｕの押下回数に応じた変位量分変位される。
【００４８】
ここで、図４および図５に示すように、コーナー歪み補正を行なう際には、ユーザによる補正点の指定に用いる補正用パターンＰＴ１，ＰＴ２，ＰＴＣ１〜ＰＴＣ４が、投写映像４０に投写される。
【００４９】
補正用パターンは、一例として、各液晶パネルの画素領域の形状と略相似形をなす矩形状の枠映像ＰＴ１，ＰＴ２，ＰＴＣ１〜ＰＴＣ４を複数個組み合わせることによって形成される。そして、複数の枠映像ＰＴ１，ＰＴ２，ＰＴＣ１〜ＰＴＣ４は、投写映像４０に重ね合わせて表示される。
【００５０】
具体的には、ユーザによるＫｅｙｓｔｏｎｅリモコン釦５６が押下されると、ＯＳＤ回路７２は、マイコン７０からの指示に従って、メモリに記憶されている補正用パターンに関するＯＳＤデータを読み出し、合成部６６へ入力する。合成部６６は、補正用パターンに関するＯＳＤデータを、映像信号処理回路６４から出力された映像信号に合成し、合成映像信号として映像データを生成する。このような動作によって、コーナー歪み補正処理を行なう際に、補正用パターンＰＴ１，ＰＴ２，ＰＴＣ１〜ＰＴＣ４が投写映像４０に投写される。
【００５１】
これにより、ユーザは、スクリーン３０上で補正用パターンの各枠映像の歪み具合を参照することにより、投写映像４０の歪み具合を容易に視認することができる。その結果、画像歪み補正を精度良く行なうことができるとともに、画像歪み補正の際の操作性を向上することができる。
【００５２】
しかしながら、その一方で、補正用パターンの表示色が投写映像４０の表示色と一致する、または近似している場合には、補正用パターンの視認性が低下する。そのため、ユーザが投写映像４０の歪み具合を視認することが難しくなり、画像歪み補正の操作性が悪いという問題が生じる。
【００５３】
このような不具合を回避するために、ＯＳＤ回路７２は、補正用パターンの表示色を切替えて投写映像４０に投写させる。ＯＳＤ回路７２が、マイコン７０からの指示に従って表示色の切替制御を実行することにより、投写映像４０の表示色とは異なる表示色の補正用パターンを同一画面上に表示させることができる。
【００５４】
（表示色切替制御）
以下に、本実施の形態１に従う画像歪み補正処理における補正用パターンの表示色の切替制御処理について、図６を参照して説明する。
【００５５】
図６は、本実施の形態１における表示色の切替制御処理を説明するフローチャートである。なお、図６の各ステップの処理は、マイコン７０において予め格納したプログラムを実行することで実現される。
【００５６】
図６を参照して、まず、マイコン７０は、リモコン受信部２０（図１）で受信されるリモコン信号に基づいて、Ｋｅｙｓｔｏｎｅリモコン釦５６（図３）が操作（押下）されたか否かを判定する（ステップＳ０１）。Ｋｅｙｓｔｏｎｅリモコン釦５６が操作されていないと判定されたとき（Ｓ０１のＮＯ判定時）には、画像歪み補正処理は選択されない。そのため、スクリーン３０には、画像歪み補正映像（図４）が表示されず、映像信号処理回路６４から出力された映像信号に基づいた映像が投写される（ステップＳ０３）。
【００５７】
一方、Ｋｅｙｓｔｏｎｅリモコン釦５６が操作されたと判定されたとき（Ｓ０１のＹＥＳ判定時）には、マイコン７０は、リモコン信号に基づいて、ユーザによる補正用パターンの色指定が行なわれた否かを判定する（ステップＳ０２）。
【００５８】
以下に、色指定を行なう場合の操作について説明する。Ｋｅｙｓｔｏｎｅリモコン釦５６を押下すると、画像歪み補正処理が選択され、画像歪み補正が可能な状態となる。このとき、スクリーン３０には画像歪み補正映像が表示される。
【００５９】
補正用パターンである枠映像ＰＴ１，ＰＴ２，ＰＴＣ１〜ＰＴＣ４の表示色を変えたい場合には、リモコン５０のメニュー釦を押下する。メニュー釦が押下されると、スクリーン３０に図７に示すような調整項目画面が表示される。画面左側には、調整項目が縦に並べて表示される。選択されている項目を示すマークが該項目の右側に表示される。メニュー釦を操作することにより、マークを上下に移動してスクリーン（図中の「Ｓｃｒｅｅｎ」）を選択すると、画面右側には、画像歪み補正に関する調整項目が縦に並べて表示される。次いで、メニュー釦を操作することにより、補正用パターンについての調整項目（図中の「Ｃｏｒｎｅｒ  Ｐａｔｔｅｒｎ」）を選択する。さらに、メニュー釦を操作することにより、補正用パターンの表示色を選択する。
【００６０】
図７の例では、補正用パターンの表示色が赤色（Ｒｅｄ）に選択されている。表示色は、赤、青、白などの複数の色から選択可能に構成される。図７では、メニュー釦を１回押下するごとに、複数の色が切替えられて表示される。表示色を選択して確定釦５４（図３）を押下すると、その選択された表示色に決定され、決定された表示色で補正用パターン（枠映像ＰＴ１，ＰＴ２，ＰＴＣ１〜ＰＴＣ４）が表示される。
【００６１】
再び図６を参照して、ユーザによる補正用パターンの色指定が行なわれたとき（ステップＳ０２のＹＥＳ判定時）には、マイコン７０は、ＯＳＤ回路７２を制御することにより、指定された色で補正用パターン（図４の枠映像ＰＴ１，ＰＴ２，ＰＴＣ１〜ＰＴＣ４）を表示させる（ステップＳ０４）。一方、補正用パターンの色指定が行なわれていないとき（ステップＳ０２のＮＯ判定時）には、マイコン７０は、ＯＳＤ回路７２を制御することにより、予め規定されている基準色（たとえば白色）で補正用パターンを表示させる（ステップＳ０５）。
【００６２】
次に、マイコン７０は、リモコン信号に基づいて、調整釦５２（図３）が操作（押下）されたか否かを判定する（ステップＳ０６）。調整釦５２が操作されたと判定されたとき（Ｓ０６のＹＥＳ判定時）には、画像歪み補正部６８は、マイコン７０からの指示に従って、上述した方法によって、調整釦５２から出力される操作信号（左上隅操作信号、右上隅操作信号、左下隅操作信号、右下隅操作信号）に応じて、補正点Ａ，Ｂ，Ｃ，Ｄの位置を補正することによりスクリーン３０上に表示される映像の歪みを補正する（ステップＳ０７）。
【００６３】
ステップＳ０８では、マイコン７０は、リモコン信号に基づいて、画像歪み補正を終了するか否かを判定する。ステップＳ０８において、確定釦５４が押下された場合（ステップＳ０８のＹＥＳ判定時）には、画像歪み補正処理が終了される。よって、スクリーン３０上に表示されていた補正用パターンは、非表示状態となる（ステップＳ１０）。
【００６４】
一方、確定釦５４が押下されていない場合（ステップＳ０８のＮＯ判定時）には、ステップＳ０６に戻って、引き続き調整釦５２の操作が実行されるまで入力待ち状態となる。確定釦５４が押下されるまで、ステップＳ０６，Ｓ０７の処理が繰り返し実行される。これにより、画像歪みを補正することができる。
【００６５】
これに対して、ステップＳ０６で調整釦５２が操作されていないと判定されたとき（ステップＳ０６のＮＯ判定時）には、マイコン７０は、ステップＳ０４でのＫｅｙｓｔｏｎｅリモコン釦５６の押下から所定期間が経過したか、すなわち、所定期間調整釦５２が未操作状態であるか否かを判定する（ステップＳ０９）。調整釦５２の未操作状態が所定時間継続したとき（ステップＳ０９のＹＥＳ判定時）には、ステップＳ１０に進み、画像歪み補正処理が終了され、補正用パターンが非表示状態となる。一方、調整釦５２の未操作状態が所定時間継続していないとき（ステップＳ０９のＮＯ判定時）には、ステップＳ０６に戻って、引き続き調整釦５２の操作が実行されるまで入力待ち状態となる。
【００６６】
以上に述べたように、この発明の実施の形態１によれば、補正用パターンの表示色の切替制御を実行することにより、投写映像の表示色とは異なる表示色の補正用パターンを同一画面上に表示させることができる。また、表示色の切替制御を、ユーザが選択した表示色に従って行なう構成したことにより、補正用パターンの視認性が高められるため、該ユーザが投写映像の歪み具合を視認することが容易となる。その結果、画像歪みを補正する際の操作性が向上する。
【００６７】
［実施の形態２］
本実施の形態２に従う画像歪み補正処理における補正用パターンの表示色の切替制御処理について、図８を参照して説明する。
【００６８】
図８を参照して、本実施の形態２における表示色の切替えは、一定時間ごとに予め設定された複数の色の間でトグル状に切替えることにより行なわれる。図８の例では、白色、赤色および青色の順に、一定時間Ｔごとに補正用パターンの表示色が切替えられる。
【００６９】
図９は、本実施の形態２における表示色の切替制御処理を説明するフローチャートである。なお、図９の各ステップの処理は、マイコン７０において予め格納したプログラムを実行することで実現される。
【００７０】
図９を参照して、本実施の形態２に従う処理フローは、図６のフローチャートに対して、ステップＳ０２〜Ｓ０５を、ステップＳ２２〜Ｓ２４に変更した点でのみ異なる。
【００７１】
図９では、まず、マイコン７０は、リモコン受信部２０で受信されるリモコン信号に基づいて、Ｋｅｙｓｔｏｎｅリモコン釦５６が操作（押下）されたか否かを判定する（ステップＳ０１）。Ｋｅｙｓｔｏｎｅリモコン釦５６が操作されていないと判定されたとき（Ｓ０１のＮＯ判定時）には、画像歪み補正処理は選択されない。そのため、スクリーン３０には、画像歪み補正映像（図４）が表示されず、映像信号処理回路６４から出力された映像信号に基づいた映像が投写される（ステップＳ２３）。
【００７２】
一方、Ｋｅｙｓｔｏｎｅリモコン釦５６が操作されたと判定されたとき（Ｓ０１のＹＥＳ判定時）には、マイコン７０は、タイマを起動して経過時間の計測を開始する（ステップＳ２２）。そして、マイコン７０は、ＯＳＤ回路７２を制御することにより、タイマのカウント値に基づいて、予め設定されている一定時間Ｔごとに、補正用パターンの表示色を、複数の色の間でトグル状に切替える（ステップＳ２４）。これにより、補正用パターンである枠映像ＰＴ１，ＰＴ２，ＰＴＣ１〜ＰＴＣ４の表示色は、図８に示すように、トグル状に変化する。
【００７３】
以上に述べたように、この発明の実施の形態２によれば、補正用パターンの表示色が、一定時間ごとに予め設定された複数の色の間でトグル状に切替えられる。そのため、画像歪み補正処理の実行中に投写映像の表示色が多様に変化しても、補正用パターンの視認性が確保されるため、ユーザが投写映像の歪み具合を視認することが容易となる。その結果、画像歪み補正の操作性が向上する。
【００７４】
（変更例）
なお、図９の処理フローでは、画像歪み補正処理の実行時には補正用パターンをトグル状に切替えて表示する構成について説明したが、トグル表示の実行時において、ユーザが調整釦５２の操作を開始したときには、切替えを停止することにより、補正用パターンの表示色を、調整釦５２の操作が開始された時点での表示色に固定するように構成することも可能である。
【００７５】
図１０は、本実施の形態２の変更例における表示色の切替制御処理を説明するフローチャートである。図１０を参照して、本実施の形態２の変更例に従う処理フローは、図９のフローチャートに対して、ステップＳ０６およびＳ０７の間に、ステップＳ０６１を追加した点でのみ異なる。
【００７６】
図１０では、ステップＳ０６にて、調整釦５２が操作されたと判定されたとき（Ｓ０６のＹＥＳ判定時）には、ＯＳＤ回路７２は、マイコン７０からの指示に従って、表示色のトグル表示を停止する（ステップＳ０６１）。これにより、補正用パターンの表示色は、調整釦５２が操作された時点での表示色に固定される。
【００７７】
このように、本変更例に従う表示色の切替制御処理では、補正用パターンの表示色をトグル状に切替えて表示するとともに、ユーザによる調整釦５２の操作を、ユーザによる表示色の指定とみなして表示色を固定する。すなわち、補正用パターンは、実質的にユーザが選択した表示色で表示される。これにより、ユーザが色指定のための操作を行なうことなく、自動的に補正用パターンを最適な表示色で表示させることが可能となるため、画像歪みを補正する際の操作性が向上する。
【００７８】
なお、図１０のステップＳ０６１にてトグル表示を停止させた状態で、ユーザが調整釦５２の操作を終えた場合には、その終了した時点から所定時間経過後に再びトグル表示を再開させる構成としてもよい。
【００７９】
［実施の形態３］
本実施の形態３に従う画像歪み補正処理における補正用パターンの表示色の切替制御処理について、図１１を参照して説明する。
【００８０】
図１１は、本実施の形態３における表示色の切替制御処理を説明するフローチャートである。なお、図１１の各ステップの処理は、マイコン７０において予め格納したプログラムを実行することで実現される。
【００８１】
図１１を参照して、本実施の形態３に従う処理フローは、図６のフローチャートに対して、ステップＳ０２〜Ｓ０５を、ステップＳ３１〜Ｓ３４に変更した点でのみ異なる。
【００８２】
図９では、まず、マイコン７０は、リモコン受信部２０で受信されるリモコン信号に基づいて、Ｋｅｙｓｔｏｎｅリモコン釦５６が操作（押下）されたか否かを判定する（ステップＳ０１）。Ｋｅｙｓｔｏｎｅリモコン釦５６が操作されていないと判定されたとき（Ｓ０１のＮＯ判定時）には、画像歪み補正処理は選択されない。そのため、スクリーン３０には、画像歪み補正映像（図４）が表示されず、映像信号処理回路６４から出力された映像信号に基づいた映像が投写される（ステップＳ３２）。
【００８３】
一方、Ｋｅｙｓｔｏｎｅリモコン釦５６が操作されたと判定されたとき（Ｓ０１のＹＥＳ判定時）には、マイコン７０は、映像信号処理回路６４から映像信号の色情報を読み込み（ステップＳ３１）、読み込んだ色情報に応じて補正用パターンの表示色を決定する（ステップＳ３３）。
【００８４】
具体的には、マイコン７０は、読み込んだ色情報に基づき、映像信号の色相、彩度または明度の少なくとも１つに応じて補正用パターンの色相を選択し、その選択した色相をＯＳＤ回路７２へ入力する。ＯＳＤ回路７２は、マイコン７０からの指示に従って、メモリから、選択した色相を表示色とする補正用パターンに関するＯＳＤデータを読み出し、合成部６６へ入力する。合成部６６は、補正用パターンに関するＯＳＤデータを、映像信号処理回路６４から出力された映像信号に合成し、合成映像信号として映像データを生成する。このような動作によって、ステップＳ３３にて決定された表示色で、補正用パターンが表示される（ステップＳ３４）。
【００８５】
ここで、色相の選択は、たとえば、映像信号の色相に対する補色を補正用パターンの色相として選択する。このように、補正用パターンの表示色を補色（色相環で正反対に位置する色相）とすることにより、補正用パターンが最もコントラストの強い組合せの色として知覚される。したがって、補正用パターンの視認性が高められるため、該ユーザが投写映像の歪み具合を視認することが容易となり、画像歪み補正の操作性が向上する。
【００８６】
なお、色相の選択は、映像信号全体の色相に限らず、映像信号のうち、補正用パターンの枠映像ＰＴ１，ＰＴ２，ＰＴＣ１〜ＰＴＣ４（図４）の周辺部分の色相、彩度または明度の情報に基づき、補正用パターンの色相を選択してもよい。
【００８７】
以上に述べたように、この発明の実施の形態３によれば、映像信号の色情報に応じて、補正用パターンの表示色が切替えられるため、画像歪み補正処理の実行中に投写映像の表示色が多様に変化しても、補正用パターンの視認性が確保される。特に、映像信号の色相に対する補色を補正用パターンの表示色に選択することにより、より補正用パターンを把握しやすくなるため、ユーザが投写映像の歪み具合を視認することが容易となる。その結果、画像歪み補正の際の操作性が向上する。
【００８８】
なお、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【００８９】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００９０】
１０  プロジェクタ、２０  リモコン受信部、３０  スクリーン、４０  投写映像、５０  リモコン、５２Ｕ  上調整釦、５２Ｄ  下調整釦、５２Ｒ  右調整釦、５２Ｌ  左調整釦、５４  確定釦、５６  Ｋｅｙｓｔｏｎｅリモコン釦、６０  入力部、６２  レシーバ部、６４  映像信号処理回路、６６  合成部、６８  画像歪み補正部、７０  マイコン、７２  ＯＳＤ回路、７６  液晶表示駆動部、７８  光学系、８０  電源ユニット、８２  プラグ、８４  コネクタ、８６  ランプ。
【図１】
2011066738.tif 000003
【図２】
2011066738.tif 000004
【図３】
2011066738.tif 000005
【図４】
2011066738.tif 000006
【図５】
2011066738.tif 000007
【図６】
2011066738.tif 000008
【図７】
2011066738.tif 000009
【図８】
2011066738.tif 000010
【図９】
2011066738.tif 000011
【図１０】
2011066738.tif 000012
【図１１】
2011066738.tif 000013